(57)【要約】【課題】頭部支承面の高さ調節を可能にして使い勝手を向上させた枕の提供を目的とする。【解決手段】首周りに巻装され、巻装状態において利用者の頭部Ａを頭部支承面１で支持する枕であって、  頭部支承面１を少なくとも利用者の頭部Ａを載せることができる複数の頭部支承領域２に区分し、  隣接する頭部支承領域２間で高さを異ならせた枕【選択図】  図３
2009273620.tif 000002
【特許請求の範囲】
【請求項１】
首周りに巻装され、巻装状態において利用者の頭部を頭部支承面で支持する枕であって、
頭部支承面を少なくとも利用者の頭部を載せることができる複数の頭部支承領域に区分し、
隣接する頭部支承領域間で高さを異ならせた枕。
【請求項２】
隅角部で開いた矩形枠形状を有する請求項1記載の枕。
【請求項３】
前記頭部支承領域が各辺毎に形成される請求項２記載の枕。
【発明の詳細な説明】
【技術分野】
【０００１】
本発明は枕に関するものである。
【背景技術】
【０００２】
機中、車中での仮眠時の使用に適した枕としては、特許文献１に記載のものが知られている。この従来例において、枕は、枕本体にベールを着脱自在に連結して形成される。枕本体はＵ字形状に形成され、利用者の首に巻装、保持して装着され、機中等での仮眠時の利用者の頭部Ａを支承する。
【特許文献１】特開２００３-３３４１３１号公報
【発明の開示】
【発明が解決しようとする課題】
【０００３】
しかし、上述した従来例において、枕本体の頭部を載せる面（頭部支承面）の高さが全周にわたって一定であるために、使用者の好みの高さで頭部を支えることができず、融通性に欠けるという欠点がある。
【０００４】
本発明は、以上の欠点を解消すべくなされたものであって、頭部支承面の高さ調節を可能にして使い勝手を向上させた枕の提供を目的とする。
【課題を解決するための手段】
【０００５】
本発明によれば上記目的は、
首周りに巻装され、巻装状態において利用者の頭部Ａを頭部支承面１で支持する枕であって、
頭部支承面１を少なくとも利用者の頭部Ａを載せることができる複数の頭部支承領域２に区分し、
隣接する頭部支承領域２間で高さを異ならせた枕を提供することにより達成される。
【０００６】
枕は首周りに巻装されて使用され、手による支え等を要することなく巻装状態を保持することができ、かつ、中心部に形成される頭部挿通部３への頭部Ａの挿通を容易にするために、馬蹄形等、開いたリング形状に形成される。
【０００７】
上述した従来例において、上記頭部支承面１は全周にわたって高さの等しい平坦面として形成されるのに対し、本発明における頭部支承面１は凹凸面として形成される。凹凸は、頭部支承面１を、少なくとも頭部Ａを載せることができる広さの頭部支承領域２に区分し、隣接する頭部支承領域２間で高さを異ならせることにより形成される。
【０００８】
頭部支承領域２は、頭部支承面１の周方向に列設されており、利用者は、首周りに枕を回転させて、後頭部Ａ等に好みの高さの頭部支承領域２を位置させるだけで、頭部Ａを支える高さを調整することができる。
【０００９】
上述したように、枕は馬蹄形等に形成することができるが、隅角部で開いた矩形枠形状に形成した場合には、どのような回転位置であっても顎の下に頭部支承面１を位置させることができるために、後ろに頭を倒し、後頭部Ａを枕によって支持させる姿勢に加え、前に頭を倒した姿勢で寝るときにも利用することが可能になる。さらに、馬蹄形の枕の場合、開放部４が側頭部に対応する位置に回転させた状態で頭を前後に倒した姿勢で寝ると、開放部４が開いて頭部Ａが側方に傾きやすくなるが、矩形枠形状に形成し、開放部４を隅角に配置すると、枕をどの回転位置で使用しても、側頭部Ａが常に支持されるために、使い心地が向上する。
【００１０】
また、枕を矩形枠形状に形成すると、高さの異なる棒状の枕を連結した状態となるために、頭部Ａを載せた際の安定性が高まる。
【発明の効果】
【００１１】
本発明によれば、首周りに枕を回転させるだけで、頭部の支持高さを変えることができるために、使い勝手が向上する。
【発明を実施するための最良の形態】
【００１２】
図１、２に空気枕として構成された本発明の実施の形態を示す。空気枕は、塩化ビニル等の合成樹脂製シートを接合して形成されるチューブ体５をカバー６により覆って形成される。
【００１３】
チューブ体５は機密性を有する中空体であり、適宜箇所には、使用時にチューブ体５内部に空気を注入して膨らませ、使用後には内部の空気を抜気するためのバルブ５ａが設けられる。チューブ体５は、十分な柔軟性を有しており、所望により、抜気状態で折り畳んでおくことができる。
【００１４】
カバー６は、膨張状態のチューブ体５を全周にわたって包み込むことができるチューブ体５とほぼ同一形状の袋体で、肌触り等を配慮して綿等の布により形成される。カバー６には、折り畳み状態のチューブ体５を挿入し、あるいは取り出すためのスリット状のチューブ取り出し口６ａが形成される。
【００１５】
図１（ａ）に示すように、上記空気枕は膨らませた状態で隅角部が開いた矩形枠形状をなして４本の棒状枕を連結した状態となり、表裏いずれか一面が凹凸面により形成される頭部支承面１とされる。空気枕の装着は、頭部支承面１を頭頂側に向けた姿勢で中心部に形成される頭部挿通部３に頭部Ａを挿通させて行われる。
【００１６】
装着状態における頭部Ａからの脱落を防止するするために、頭部挿通部３は頭部Ａよりやや小寸で、かつ、利用者の首周りに比してやや大寸に形成され、空気枕の装着は、開放部４を押し広げるようにして環径を大きくした頭部挿通部３に頭部Ａを挿通させて行うことができる。
【００１７】
上記頭部支承面１は、高さ寸法（Ｈ、ｈ）を基準に複数の頭部支承領域２に区分され、凹凸は、隣接する頭部支承領域２間の高さ寸法を異ならせることにより形成される。この実施の形態において、頭部支承領域２は棒状枕単位、すなわち、矩形枠形状の辺単位に配置され、対向辺に位置する頭部支承領域２同士は等高に形成される。図１、２において、高さ寸法が大きな頭部支承領域２をハッチングを施して示す。
【００１８】
したがってこの実施の形態において、図３（ａ）に示すように、厚みが厚く、高さの高い頭部支承領域２が後頭部Ａ、および顎に対応した状態から、首周りに回転させると、図３（ｂ）に示すように、高さの低い頭部支承領域２を後頭部Ａ等に対応させることができ、好みの高さを選択することができる。
【００１９】
また、図３（ａ）、（ｂ）いずれの姿勢においても、顎を頭部支承面１に載せることが可能であり、前に頭を倒した姿勢で寝ることもできる。この場合、一端が開かれた棒状枕部分に後頭部Ａ、あるいは顎を載せた際の開放部４の開きをより確実に防止するために、図４（ａ）に示すように、開放端を分離可能に接触させる形状にしたり、あるいは図４（ｂ）、（ｃ）に示すように、自由端部を分離可能に重ねるように構成することができる。
【００２０】
なお、以上において、頭部支承面１は２種類の高さの組み合わせにより凹凸が形成される場合を示したが、それ以上の高さの頭部支承領域２を組み合わせることも可能である。また、以上においては片面を頭部支承面１とした場合を示したが、表裏両面に凹凸を形成して頭部支承面１とすることもできる。さらに、カバー６は頭部支承領域２の凹凸に沿った凹凸形状に形成する以外に、全体にわたって高い頭部支承領域２が挿入可能な周周り寸法を有する袋状に形成することもできる。
【図面の簡単な説明】
【００２１】
【図１】本発明を示す図で、（ａ）は平面図、（ｂ）は（ａ）の１Ｂ方向矢視図である。
【図２】図１の２Ａ-２Ａ線断面図である。
【図３】枕の使用状態を示す図である。
【図４】図１の変形例を示す図で、（ａ）は第１の変形例を示す平面図、（ｂ）は第２の変形例を示す平面図、（ｃ）は（ｂ）の右側面図である。
【符号の説明】
【００２２】
Ａ        頭部
１        頭部支承面
２        頭部支承領域
３        頭部挿通部
【図１】
2009273620.tif 000003
【図２】
2009273620.tif 000004
【図３】
2009273620.tif 000005
【図４】
2009273620.tif 000006